(57)【要約】      （修正有）【課題】炭素数２〜８のアルカンを原料として、不飽和カルボン酸又は不飽和ニトリルを一段接触気相酸化反応で製造する方法を提供する。【解決手段】モリブデン、バナジウム、テルル、及びニオブを含む複合金属酸化物触媒の存在下、炭素数２〜８のアルカンの一段接触気相酸化反応により不飽和カルボン酸又は不飽和ニトリルを製造する際に、炭素数２〜８のアルカンの供給と同時に、二酸化炭素を供給する。【選択図】図１
2005298508.tif 000002
【特許請求の範囲】
【請求項１】
１以上の（アンモ）酸化生成物を製造するための１以上のＣ２〜Ｃ８アルカンの一段接触気相（アンモ）酸化方法であって、１以上の反応領域が提供され、そのそれぞれが一段気相（アンモ）酸化反応を触媒できる少なくとも１種の触媒を含み、該方法が
（ａ）１以上のＣ２〜Ｃ８アルカンを１以上の反応領域の少なくとも１つに供給し；
（ｂ）１以上のＣ２〜Ｃ８アルカンの供給と同時に、二酸化炭素を１以上の反応領域の少なくとも１つに供給する工程を含む方法。
【請求項２】
二酸化炭素が、前記方法に供給される出発物質の合計体積基準で５体積％〜６０体積％の量で供給される請求項１記載の方法。
【請求項３】
１以上のＣ２〜Ｃ８アルカンが、前記方法に供給される出発物質の合計体積基準で３体積％〜５０体積％の量で供給される請求項１記載の方法。
【請求項４】
１以上の（アンモ）酸化生成物が、不飽和カルボン酸および不飽和ニトリルからなる群から選択される請求項１記載の方法。
【請求項５】
１以上のＣ２〜Ｃ８アルカンを含むフィード流れと、二酸化炭素を含む別のフィード流れとが、１以上の反応領域に供給される前に組み合わせられる請求項１記載の方法。
【請求項６】
１以上のＣ２〜Ｃ８アルカンを含む第一フィード流れと二酸化炭素を含む第二フィード流れが互いに独立して１以上の反応領域に供給される請求項１記載の方法。
【請求項７】
１以上のＣ２〜Ｃ８アルカンを含む前記第一フィード流れが１以上の反応領域の少なくとも１つに供給され、かつ前記第一フィード流れが供給されるのと同じ１以上の反応領域の少なくとも１つに二酸化炭素を含む前記第二フィード流れが供給される請求項６記載の方法。
【請求項８】
１以上のＣ２〜Ｃ８アルカンを含む前記第一フィード流れが１以上の反応領域の少なくとも１つに供給され、かつ前記第一フィード流れが供給されるのと異なる１以上の反応領域の少なくとも１つに二酸化炭素を含む前記第二フィード流れが供給される請求項６記載の方法。
【請求項９】
触媒が、実験式：
ＪｊＭｍＮｎＹｙＺｚＯｏ
（式中、Ｊは、ＭｏおよびＷからなる群から選択される少なくとも一つの元素であり、
ＭはＶおよびＣｅからなる群から選択される少なくとも一つの元素であり、
ＮはＴｅ、ＳｂおよびＳｅからなる群から選択される少なくとも一つの元素であり、
ＹはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり；ＺはＮｉ、Ｐｄ、Ｃｕ、ＡｇおよびＡｕからなる群から選択され；ｊ＝１の時、ｍ＝０．０１〜１．０、ｎ＝０．０１〜１．０、ｙ＝０．０１〜１．０、ｚ＝０．００１〜０．１であり、ｏは他の元素の酸化状態に依存する）を有する混合金属酸化物を含み；
前記触媒組成物が２２．１°、２７．１°、２８．２°、３６．２°、４５．２°、および５０．０°のＸ線回折角（２θ）でピークを示すように処理されている請求項１記載の方法。
【請求項１０】
１以上のＣ２〜Ｃ８アルカンの供給と同時に、酸素含有ガスを１以上の反応領域に供給する工程をさらに含む請求項１記載の方法。
【請求項１１】
１以上のＣ２〜Ｃ８アルカンが少なくともプロパンを含み、かつ１以上の（アンモ）酸化生成物が少なくとも（メタ）アクリル酸を含む請求項１０記載の方法。
【請求項１２】
１以上のＣ２〜Ｃ８アルカンの供給と同時に、アンモニアを１以上の反応領域に供給する工程をさらに含む請求項１記載の方法。
【請求項１３】
１以上のＣ２〜Ｃ８アルカンが少なくともプロパンを含み、１以上の（アンモ）酸化生成物が少なくともアクリロニトリルを含む請求項１２記載の方法。
【請求項１４】
１以上のＣ２〜Ｃ８アルカンの一段接触気相（アンモ）酸化反応により製造される１以上の（アンモ）酸化生成物の収率を増大させる方法であって、１以上の反応領域が提供され、そのそれぞれが一段気相（アンモ）酸化反応を触媒することができる少なくとも１種の触媒を含み、該方法が
（ａ）１以上のＣ２〜Ｃ８アルカンを１以上の反応領域の少なくとも１つに供給する工程；および
（ｂ）１以上のＣ２〜Ｃ８アルカンの供給と同時に、二酸化炭素を１以上の反応領域の少なくとも１つに供給する工程を含む方法。
【発明の詳細な説明】
【技術分野】
【０００１】
本発明は、１以上のＣ２〜Ｃ８アルカンを、不飽和カルボン酸および不飽和ニトリルをはじめとする１以上の酸化生成物に変換するための改良された一段接触気相（アンモ）酸化法であって、これにより酸化生成物のさらに高い収率が達成される方法に関する。
【背景技術】
【０００２】
アクリル酸およびメタクリル酸などの不飽和カルボン酸は、様々な合成樹脂、コーティング材料および可塑剤の出発物質として工業的に重要である。アクリロニトリルおよびメタクリロニトリルなどのニトリルは、繊維、合成樹脂、合成ゴムなどを調製するための工業的に重要な中間体である。このような不飽和カルボン酸およびニトリルは、低級（すなわち、Ｃ２〜Ｃ８）アルカンおよびアルケン、例えばエタン、エテン、プロパン、プロペン、ブタン（ｎ−およびイソブタンを包含する）、ブテン（ｎ−およびイソブテンを包含する）およびペンタン（ｎ−およびイソペンタンを包含する）およびペンテン（ｎ−およびイソペンテンを包含する）の接触（アンモ）酸化により製造することができる。
【０００３】
例えば、現在実施されている商業的なアクリル酸の製造法は、アルケン、プロペンを炭化水素出発物質として用いる二段接触気相酸化反応を含む。二段酸化反応においては、プロペンは第一段において適当な混合金属酸化物触媒上でアクロレインに変換される。第二段において、第一段から得られるアクロレイン生成物は、第二の好適な混合金属酸化物触媒を用いてアクリル酸に変換される。ほとんどの場合、触媒処方は、触媒供給業者の専有物であるが、技術はよく確立されている。さらに、追加の反応物質、例えば分子酸素および／または水蒸気、および不活性物質、例えば窒素および二酸化炭素をはじめとるする追加の出発物質を、係る二段酸化プロセスに供給される炭化水素出発材料とともに含むことが知られている。例えば、プロペンをアクリル酸に変換するための二段接触気相酸化プロセスを開示している米国特許第５２１８１４６号参照。米国特許第５２１８１４６号の開示において、二酸化炭素はプロペンおよび分子酸素も含む出発物質の合計体積基準で３体積％から５０体積％の量で二段酸化プロセスに供給される。しかしながら、米国特許第５２１８１４６号においては、プロセスに供給される二酸化炭素の量とアクリル酸生成物の収率の間の関係は明示も暗示もされていない。
【０００４】
ニトリルを製造するための最も一般的な方法は、アルケン（オレフィン）、例えばプロペンまたはイソブテンを高温で、気相において適当な触媒の存在下でアンモニアおよび酸素との接触反応に付すことである。この反応を行うために好適な様々な公知触媒があるが、触媒処方の多くは、触媒供給業者の専有物であるが、この技術はよく確立されている。さらに、追加の反応物質、例えば分子酸素および／または水蒸気、ならびに不活性物質、例えば窒素および二酸化炭素を包含する追加の出発物質を、係る二段アンモ酸化プロセスに供給される炭化水素およびアンモニア出発物質と共に含むことが知られている。
【０００５】
アルカン（例えば、プロパンおよびイソブタン）はアルケン（例えばプロペンおよびイソブテン）と比較して低価格であるので、より安価なアルカンを炭化水素出発物質として用いる一段気相（アンモ）酸化プロセスにおいて不飽和カルボン酸および不飽和ニトリルを製造するための触媒および方法の開発が注目されてきた。例えば、最高５２％までの収率でプロパンのアクリル酸への一段酸化を触媒できる触媒が開発され、改良され続けている。
【０００６】
加えて、一段酸化プロセスそれ自体の改良法が開発され、一段酸化プロセスへのさらなる改良が引き続き求められ、産業界で歓迎されている。例えば、希釈剤または熱調節剤としての働きをするための追加の反応物質、例えば分子酸素および／または水蒸気、並びに不活性物質、例えば窒素および二酸化炭素をはじめとする追加の出発物質を、一段酸化プロセスに供給される炭化水素出発物質と共に含むことが知られている。
【０００７】
例えば、米国特許第６６４６１５８号は、二酸化炭素がフィードガスの合計体積基準で５体積％を越える量で酸化プロセスに供給されうることを記載しているが、二酸化炭素を開示されたプロセスに供給することを含む例は提示されていない。従って、二酸化炭素はこのプロセスには必要ではなく、希釈剤または熱調節剤としての二酸化炭素の効力に関して、米国特許第６６４６１５８号から結論を導き出すことはできない。加えて、米国特許第６６９３０５９号は、プロパンをアクリル酸に変換する一段酸化プロセスに０体積％ないし２０体積％の量で希釈ガス、例えば窒素、アルゴン、ヘリウムまたは二酸化炭素を供給する可能性を開示している。しかしながら、この特許は触媒組成および活性に焦点を当て、二酸化炭素を一段酸化プロセスに供給することを含む例を提示していない。Ｏ．Ｖ．Ｋｒｙｌｏｖらは、「酸化物触媒上でのアルカンと二酸化炭素の相互作用における規則性（Ｔｈｅ  ｒｅｇｕｌａｒｉｔｉｅｓ  ｉｎ  ｔｈｅ  ｉｎｔｅｒａｃｔｉｏｎ  ｏｆ  ａｌｋａｎｅｓ  ｗｉｔｈ  ＣＯ２  ｏｎ  ｏｘｉｄｅ  ｃａｔａｌｙｓｔｓ）」、Ｃａｔａｌｙｓｉｓ  Ｔｏｄａｙ  ２４（１９９５）３７１−３７５において、メタン、エタンおよびプロパンの酸化における非伝統的酸化剤としての二酸化炭素の使用を開示しているが、生成物は、合成ガス（水素および一酸化炭素）および単純な酸素脱水素（ｏｘｙｄｅｈｙｄｒｏｇｅｎａｔｉｏｎ）生成物、例えばアルケンのみを含み、不飽和カルボン酸またはニトリルは産生されない。従って、これらの従来の開示はいずれも、不飽和カルボン酸およびニトリルをはじめとする（アンモ）酸化生成物の産生を増大させるための一段（アンモ）酸化プロセスのフィード成分としての二酸化炭素の使用を調査または議論していない。
【０００８】
【特許文献１】米国特許第５２１８１４６号
【特許文献２】米国特許第６６４６１５８号
【特許文献３】米国特許第６６９３０５９号
【非特許文献１】Ｏ．Ｖ．Ｋｒｙｌｏｖら、「酸化物触媒上でのアルカンと二酸化炭素の相互作用における規則性（Ｔｈｅ  ｒｅｇｕｌａｒｉｔｉｅｓ  ｉｎ  ｔｈｅ  ｉｎｔｅｒａｃｔｉｏｎ  ｏｆ  ａｌｋａｎｅｓ  ｗｉｔｈ  ＣＯ２  ｏｎ  ｏｘｉｄｅ  ｃａｔａｌｙｓｔｓ）」、Ｃａｔａｌｙｓｉｓ  Ｔｏｄａｙ  ２４（１９９５）３７１−３７５
【発明の開示】
【発明が解決しようとする課題】
【０００９】
したがって、化学産業界は１以上のＣ２〜Ｃ８アルカンを、不飽和カルボン酸およびニトリルをはじめとする有用な（アンモ）酸化生成物に変換するための一段（アンモ）酸化プロセスの収率を増大させるためのさらなる改良を歓迎するであろう。
【課題を解決するための手段】
【００１０】
本発明は、そのそれぞれが一段気相（アンモ）酸化反応を触媒できる少なくとも１種の触媒を含む１以上の反応領域を用いて、１以上のＣ２〜Ｃ８アルカンを一段気相接触（アンモ）酸化して１以上の（アンモ）酸化生成物を製造するための方法を提供する。本発明の方法は、１以上のＣ２〜Ｃ８アルカンを１以上の反応領域の少なくとも１つに供給し；１以上のＣ２〜Ｃ８アルカンの供給と同時に二酸化炭素を１以上の反応領域の少なくとも１つに供給する工程を含む。二酸化炭素は出発物質の合計体積基準で５体積％〜６０体積％の量で供給することができ、１以上のＣ２〜Ｃ８アルカンは３体積％〜５０体積％の量で供給することができる。１以上の（アンモ）酸化生成物は、不飽和カルボン酸および不飽和ニトリルからなる群から選択される。
【００１１】
１以上の反応領域の少なくとも１種の触媒は、実験式：
ＪｊＭｍＮｎＹｙＺｚＯｏ
（式中、Ｊは、ＭｏおよびＷからなる群から選択される少なくとも一つの元素であり、
ＭはＶおよびＣｅからなる群から選択される少なくとも一つの元素であり、
ＮはＴｅ、ＳｂおよびＳｅからなる群から選択される少なくとも一つの元素であり、
ＹはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり；ＺはＮｉ、Ｐｄ、Ｃｕ、ＡｇおよびＡｕからなる群から選択され；ｊ＝１の時、ｍ＝０．０１〜１．０、ｎ＝０．０１〜１．０、ｙ＝０．０１〜１．０、ｚ＝０．００１〜０．１であり、ｏは他の元素の酸化状態に依存する）を有する混合金属酸化物を含むことができ；
前記触媒組成物は２２．１°、２７．１°、２８．２°、３６．２°、４５．２°、および５０．０°のＸ線回折角（２θ）でピークを示すように処理されている。
【００１２】
本発明はさらに、そのそれぞれが一段気相（アンモ）酸化反応を触媒できる少なくとも１種の触媒を含む１以上の反応領域を用いる１以上のＣ２〜Ｃ８アルカンの一段接触気相（アンモ）酸化反応により製造される１以上の（アンモ）酸化生成物の収率を増大させる方法も提供する。
【００１３】
本発明の方法は、１以上のＣ２〜Ｃ８アルカンを１以上の反応領域の少なくとも１つに供給する工程；および二酸化炭素を１以上のＣ２〜Ｃ８アルカンの供給と同時に１以上の反応領域の少なくとも１つに供給する工程を含む。
【発明の効果】
【００１４】
本発明は、１以上のＣ２〜Ｃ８アルカンを、不飽和カルボン酸および不飽和ニトリルをはじめとする１以上の酸化生成物に変換するための改良された一段接触気相（アンモ）酸化法を提供し、これにより酸化生成物のさらに高い収率が達成される。
【発明を実施するための最良の形態】
【００１５】
一般に、本発明の一段（アンモ）酸化法に適当な出発物質は、これらに限定されるわけではないが、１以上のＣ２〜Ｃ８アルカン、または１以上のＣ２〜Ｃ８アルカンと１以上の対応するＣ２〜Ｃ８アルケンの混合物、および二酸化炭素、および任意にアンモニアを包含する。好適な出発物質は任意に、酸素含有ガス、水蒸気、および希釈ガスも包含する。
【００１６】
本明細書において用いられる場合、「１以上のＣ２〜Ｃ８アルカン」なる用語は、１つのアルカン分子あたり２〜８個の炭素原子を有する１以上の直鎖または分岐鎖アルカン、例えば、エタン、プロパン、ブタン、ペンタン、ヘプタンおよびオクタンを意味する。「１以上のＣ２〜Ｃ８アルケン」なる用語は、１つのアルケン分子あたり２〜８個の炭素原子を有する１以上の直鎖または分岐鎖アルケン、例えば、エテン、プロペン、ブテン、ペンテン、ヘプテンおよびオクテンを意味する。本明細書において用いられる場合、「１以上のＣ２〜Ｃ８アルカンの１以上の対応するＣ２〜Ｃ８アルケンとの混合物」なる用語は、１つのアルカン分子あたり２〜８個の炭素原子を有する１以上の直鎖または分岐鎖アルカンおよび１つのアルケン分子あたり２〜８個の炭素原子を有する１以上の対応する直鎖または分岐鎖アルケンを含む混合物、例えば制限なく、エタンとエテンの混合物、またはプロパンとプロペンの混合物、またはｎ−ブタンとｎ−ブテンの混合物などを意味する。
【００１７】
本発明に関して使用される出発物質として選択される特定の１以上のＣ２〜Ｃ８アルカンは、もちろん特定の所望の（アンモ）酸化生成物によって変わる。例えば、プロパンまたはイソブタンが出発物質アルカンとして用いられる場合、アクリル酸またはメタクリル酸がそれぞれ良好な収率で得られる。
【００１８】
出発物質として使用される１以上のＣ２〜Ｃ８アルカンの純度は特に制限されず、メタンまたはエタンなどの低級アルカン、空気または二酸化炭素を不純物として含有する１以上のＣ２〜Ｃ８アルカンを特に問題なく使用することができる。さらに、出発物質アルカンは様々なアルカンの混合物であってもよい。同様に、１以上のＣ２〜Ｃ８アルカンの１以上の対応するＣ２〜Ｃ８アルケンとの混合物が出発物質として用いられる場合、出発物質混合物の純度は特に制限されず、エテンなどの低級アルケン、メタンまたはエタンなどの低級アルカン、空気、または二酸化炭素を不純物として含有するアルカンとアルケンの混合物を特に問題なく使用することができる。さらに、出発物質混合物は様々なアルカンとアルケンとの混合物であってもよい。
【００１９】
１以上のＣ２〜Ｃ８アルカンの供給源には制限はない。それ自体あるいはアルケンおよび／または他の不純物との混合物として購入することができる。さらに、１以上のＣ２〜Ｃ８アルカン（供給源に関係なく）、および１以上のＣ２〜Ｃ８アルケン（供給源に関係なく）を所望によりブレンドすることができる。例えば、制限なく、１以上のＣ２〜Ｃ８アルカンの１以上の対応するＣ２〜Ｃ８アルケンとの混合物において、１以上の対応するＣ２〜Ｃ８アルケンは少なくとも０．５重量％（少なくとも１．０重量％〜９５重量％；またはさらには３重量％〜９０重量％を包含する）の量において存在することができる。
【００２０】
同様に、二酸化炭素の供給源に関しては制限はなく、購入し、新鮮なフィードとしてプロセスに供給してもよいし、あるいは１以上のＣ２〜Ｃ８アルカンまたは１以上のＣ２〜Ｃ８アルカンの１以上の対応するＣ２〜Ｃ８アルケンとの混合物と混合してもよい。さらに、本発明の（アンモ）酸化プロセスに供給される二酸化炭素の全部または一部を（アンモ）酸化プロセスの下流のユニットからリサイクルしても良いし、あるいは他の関連するかまたは関連しないプロセスから得ることもできる。
【００２１】
本発明の第一の具体例のさらなる詳細に移ると、１以上のＣ２〜Ｃ８アルカンおよび二酸化炭素を、１以上の反応領域（そのそれぞれが少なくとも１種の適当な触媒を含む）の少なくとも１つに供給することにより、不飽和カルボン酸を製造するための一段接触気相酸化プロセスが提供される。適当な触媒は、一段酸化反応を触媒できるものであり、これらに限定されるわけではないが、本発明の一部として参照される以下の特許文献に記載されているもののいずれかに開示されている触媒を包含する：米国特許第６３８３９７８号、第６４０３５２５号、第６４０７０３１号、第６４０７２８０号、第６４６１９９６号、第６４７２５５２号、第６５０４０５３号、第６５８９９０７号、第６６２４１１１号、第６６４２１７４号および第６６４６１５８号。
【００２２】
さらに詳細には、本発明にしたがって、１以上の反応領域が提供され、それぞれの反応領域は少なくとも１種の適当な触媒を含む。１以上のＣ２〜Ｃ８アルカンおよび二酸化炭素がそれぞれ少なくとも部分的に同時に１以上の反応領域の少なくとも１つに供給され、ここでこれらは触媒と接触する。１以上のＣ２〜Ｃ８アルカンは、独立したフィード流れとして二酸化炭素と別に、独立して供給しても良いし、あるいは１以上の反応領域の少なくとも１つにそれらを供給する前に少なくとも部分的に互いにブレンドしてもよい。さらに、１以上のＣ２〜Ｃ８アルカンを１より多い反応領域に供給することができ、かかる反応領域は互いに連続または隣接している必要はない。同様に、二酸化炭素を１より多い反応領域に供給することができ、係る反応領域は互いに連続または隣接している必要はない。
【００２３】
１以上のＣ２〜Ｃ８アルカンが二酸化炭素から独立して供給される場合、これらは１以上の同じ反応領域、または１以上の異なる反応領域に供給することができる。例えば、互いに直列に配列された合計３つの反応領域が提供される場合において、１以上のＣ２〜Ｃ８アルカンは最初と最後（すなわち３番目）の反応領域に供給することができ、二酸化炭素は真ん中（すなわち２番目）の反応領域のみに供給される。別法として、１以上のＣ２〜Ｃ８アルカンを最初と最後の反応領域に供給することができ、二酸化炭素は最初と２番目の反応領域に供給することができるか、または最初の反応領域にのみ供給することができる。もちろん、反応領域の数および配置、ならびにどの反応領域に１以上のＣ２〜Ｃ８アルカンおよび二酸化炭素が一緒にあるいは別々に供給されうるかについては多くの様々なバリエーションが存在する。このようなバリエーションのすべては当業者が開発することができ、このようなバリエーションは本発明の意図および範囲内に含まれる。
【００２４】
１以上のＣ２〜Ｃ８アルカンからの不飽和カルボン酸の製造において、水蒸気を含有する出発物質ガスを用いるのが有用である。このような場合において、反応システムに供給される出発物質ガスとして、水蒸気含有Ｃ２〜Ｃ８アルカン、または１以上のＣ２〜Ｃ８アルカンの１以上の対応するＣ２〜Ｃ８アルケンとの水蒸気含有混合物、および酸素含有ガスを含む気体混合物がしばしば用いられる。しかしながら、前記の水蒸気含有アルカン、または前記のアルカンとアルケンの水蒸気含有混合物、および酸素含有ガスは、交互に（すなわち別々に）反応系に供給することができる。用いられる水蒸気は反応系において水蒸気ガスの形態で存在することができ、その導入法は特に制限されない。
【００２５】
さらに、希釈ガスとして、例えば窒素、アルゴンまたはヘリウムなどの不活性ガスを供給することができる。出発物質ガスにおけるモル比（アルカンまたはアルカンとアルケンの混合物）：（酸素）：（希釈ガス）：（Ｈ２Ｏ）は好ましくは（１）：（０．１〜１０）：（０〜２０）：（０．２〜７０）であり、さらに好ましくは（１）：（１〜５．０）：（０〜１０）：（５〜４０）である。
【００２６】
水蒸気が１以上のＣ２〜Ｃ８アルカン、または１以上のＣ２〜Ｃ８アルカンの１以上の対応するＣ２〜Ｃ８アルケンとの混合物と一緒に出発物質ガスとして供給される場合、不飽和カルボン酸の選択性は極めて向上され、１つの反応領域において単に接触させることにより（すなわち一段で）、出発物質ガスとして１以上のＣ２〜Ｃ８アルカン、または１以上のＣ２〜Ｃ８アルカンの１以上の対応するＣ２〜Ｃ８アルケンとの混合物から不飽和カルボン酸を良好な収率で得ることができる。しかしながら、公知技術は出発物質を希釈する目的で例えば窒素、アルゴンまたはヘリウムなどの希釈ガスを用いる。かかる希釈ガスは、これらに限定されないが、空間速度、酸素分圧および水蒸気分圧をはじめとする様々なプロセス操作パラメータを調節するために水蒸気とともに用いることができる。
【００２７】
本発明の第一の態様の酸化反応の詳細なメカニズムは明らかにはわかっていないが、酸化反応は１以上の反応領域のそれぞれにおける１以上の触媒中に存在する酸素原子、またはフィードガス中に存在する分子酸素により行われる。分子酸素をフィードガス中に組み入れるために、かかる分子酸素は純粋な酸素ガスであってもよい。しかしながら、純度は特に要求されないので、酸素含有ガス、例えば空気を使用することが通常、より経済的である。本明細書において用いられる「酸素含有ガス」なる用語は、例えば空気をはじめとする、０．０１％から１００％までの酸素を含む任意の気体を意味する。
【００２８】
例えば、１以上の反応領域のそれぞれに供給される出発物質の割合は次の通りでありうる：１以上のＣ２〜Ｃ８アルカン、または１以上のＣ２〜Ｃ８アルカンと１以上の対応するＣ２〜Ｃ８アルケンの混合物、３体積％〜５０体積％、例えば７体積％〜２５体積％；二酸化炭素、５体積％〜６０体積％、例えば１０体積％〜５０体積％；酸素、１体積％〜５０体積％、例えば５体積％〜２５体積％；および水（水蒸気）、１体積％〜５０体積％、例えば５体積％〜２５体積％（１以上の反応領域のそれぞれに供給される出発物質の合計体積基準）。１以上の反応領域のそれぞれに供給される出発物質の組成および割合は、本発明の利点を実現するために互いに同じである必要はなく、実際、当業者には容易に理解され、判断できるように、互いに異なっている必要がある場合もある。
【００２９】
気相接触反応に関して、１以上のＣ２〜Ｃ８アルカン、または１以上のＣ２〜Ｃ８アルカンと１以上の対応するＣ２〜Ｃ８アルケンの混合物、および二酸化炭素のみを、実質的に分子酸素の不在下で使用することも可能である。このような場合において、それぞれの反応領域の１以上の触媒の少なくとも一部を適当に各反応領域から時々抜き取り、次いで酸化再生装置に送り、再生し、その後再使用するために反応領域に戻す、触媒再生法を採用することが好ましい。例えば、触媒再生は、酸化ガス、例えば酸素、空気または一酸化窒素を再生装置中、通常、３００℃〜６００℃の温度で触媒と接触させることを含みうる。
【００３０】
本発明の第一の具体例の特定の態様をさらに詳細に説明する。ここにおいて、アクリル酸は、プロパン（Ｃ２〜Ｃ８アルカンとして）、二酸化炭素および空気（酸素含有ガスとして）を用いて製造される。反応系装置は、好ましくは固定床触媒リアクター系を含みうる。反応系に供給される空気の割合は、結果として得られるアクリル酸の選択性に重要であり、通常、プロパン１モルあたり最高２５モル、好ましくは０．２〜１８モルであり、これによりアクリル酸について高い選択性を得ることができる。この反応は、通常、大気圧下で行うことができるが、若干高い圧力または若干低い圧力でも行うことができる。イソブタンなどの他のＣ２〜Ｃ８アルカン、またはプロパンとプロペンなどのＣ２〜Ｃ８アルカンと対応するＣ２〜Ｃ８アルケンの混合物に関して、フィードガスの組成はプロパンの状態に従って選択することができる。
【００３１】
プロパン、またはイソブテンの、それぞれアクリル酸、またはメタクリル酸への酸化について当業者に公知の典型的な反応条件を、本発明の実施において用いることができる。プロセスは、シングルパスモード（新鮮なフィードのみがリアクターに供給される）またはリサイクルモード（リアクター排出物の少なくとも一部がリアクターに戻される）で実施することができる。
【００３２】
本発明のプロセスについての一般的条件は次の通りである：反応温度は２００℃から７００℃まで変化し得るが、通常は２００℃から５５０℃の範囲であり、さらに好ましくは２５０℃から４８０℃、最も好ましくは３００℃から４００℃であり；気相反応における気体空間速度ＳＶは通常１００から１００００時−１、好ましくは３００〜６０００時−１、さらに好ましくは３００〜２０００時−１の範囲であり；触媒との平均接触時間は、０．０１〜１０秒以上でありうるが、通常０．１〜１０秒の範囲、好ましくは０．２〜６秒の範囲であり；反応領域における圧力は、通常０〜７５ｐｓｉｇであるが、好ましくは５０ｐｓｉｇ以下である。シングルパスモードプロセスにおいて、酸素は酸素含有ガス、例えば空気から供給されるのが好ましい。シングルパスモードプロセスは酸素を添加して実施することもできる。リサイクルモードプロセスの実施において、１以上の反応領域における不活性ガスの蓄積を避けるためには酸素ガスそれ自体が好ましい供給源である。
【００３３】
もちろん、本発明の酸化反応において、フィードガス中の炭化水素および酸素濃度は、反応領域内でまたは特にリアクター領域の出口で可燃性範囲に入るのを最小限に抑えるか、または回避するために適当なレベルに維持されることが重要である。一般に、後燃え（ａｆｔｅｒ−ｂｕｒｎｉｎｇ）を最小限に抑え、特にリサイクルモードの操作において、リサイクルされた気体状排出流れ中の酸素の量を最小限に抑えるために、出口酸素レベルは低いのが好ましい。加えて、低温（４５０℃未満）での反応の操作は、酸化生成物の後燃えがあまり問題にならないので非常に魅力的であり、このことにより所望の生成物の高い選択性が達成できる。本発明に関する使用に好適な触媒は、典型的には前記の低い温度範囲でさらに有効に作動し、副生成物としての酢酸および炭素酸化物の形成を著しく低減し、アクリル酸に対する選択性を増大させる。空間速度および酸素分圧を調節するための希釈ガスとして、例えば窒素、アルゴンまたはヘリウムなどの不活性ガスを用いることができる。
【００３４】
プロパンの酸化反応、特にプロパンとプロペンの酸化反応が本発明の方法により行われる場合、一酸化炭素、二酸化炭素、酢酸などがアクリル酸の他に副生成物として生じうる。さらに、本発明の方法において、反応条件によっては不飽和アルデヒドが時々形成されうる。例えば、プロパンが出発物質混合物中に存在する場合、アクロレインが形成される場合があり；イソブタンが出発物質混合物中に存在する場合、メタクロレインが形成される場合がある。このような場合において、かかる不飽和アルデヒドを再び本発明の促進された混合金属酸化物含有触媒を用いた気相接触酸化に付すか、または不飽和アルデヒドの公知酸化反応触媒を用いた気相接触酸化反応に付すことにより、不飽和アルデヒドを所望の不飽和カルボン酸に変換することができる。
【００３５】
本発明の第二の具体例のさらに具体的な詳細について、１以上のＣ２〜Ｃ８アルカン、二酸化炭素、およびアンモニアを、１以上の反応領域（そのそれぞれが少なくとも１種の好適な触媒を含む）の少なくとも１つに供給することにより不飽和ニトリルを製造するための一段接触気相アンモ酸化プロセスが提供される。適当な触媒は、一段アンモ酸化反応を触媒できるものであり、これらに限定されないが、本発明の第一の具体例の記載において既に記載した前記特許文献に開示されている触媒を包含する。
【００３６】
さらに詳細には、第二の具体例において、１以上の反応領域が提供され、各反応領域は、少なくとも１種の適当な触媒を含む。１以上のＣ２〜Ｃ８アルカン、二酸化炭素、およびアンモニアは、それぞれ、少なくとも部分的に同時に、１以上の反応領域の少なくとも１つに供給され、ここで触媒と接触する。１以上のＣ２〜Ｃ８アルカン、二酸化炭素、およびアンモニアは、別々にまたは互いに独立して、別のフィード流れとして供給することができるか、または１以上の反応領域の少なくとも１つに供給される前に、互いに少なくとも部分的にブレンドすることができる。加えて、これらの３つの出発物質の任意の２つは、第３のものを別に供給しつつ、１以上の反応領域の少なくとも１つに供給される前に、互いに少なくとも部分的に組み合わせることができる。さらに、１以上のＣ２〜Ｃ８アルカンは１より多い反応領域に供給することができ、かかる反応領域は互いに連続または隣接している必要はない。同様に、二酸化炭素およびアンモニアはそれぞれ１より多い反応領域に供給することができ、かかる反応領域は互いに連続または隣接している必要はない。
【００３７】
１以上のＣ２〜Ｃ８アルカン、二酸化炭素およびアンモニアが反応領域に互いに別々に供給される場合、これらは１以上の同じ反応領域に供給されてもよいし、１以上の異なる反応領域に供給されてもよい。例えば、互いに直列に配列されている合計３つの反応領域が提供されている具体例において、１以上のＣ２〜Ｃ８アルカンを最初と最後（すなわち３番目）の反応領域に供給することができ、二酸化炭素は真ん中（すなわち２番目）の反応領域のみに供給され、アンモニアは第一反応領域のみに供給される。別法として、１以上のＣ２〜Ｃ８アルカンは最初と最後の反応領域に供給することができ、二酸化炭素は最初と２番目の反応領域に供給することができるか、または最初の反応領域にのみ供給することができ、アンモニアは最初の反応領域に供給することができる。もちろん、反応領域の数および配置、ならびにどの反応領域に１以上のＣ２〜Ｃ８アルカン、二酸化炭素、およびアンモニアが様々な組み合わせで、あるいは別々に供給されうるかに関して多くのバリエーションが存在する。かかるバリエーションは当業者が開発することができ、かかるバリエーションのそれぞれは本発明の範囲内に含まれる。
【００３８】
出発物質アルカンとしてのかかる不飽和ニトリルの製造において、Ｃ２〜Ｃ８アルカン、例えばエタン、プロパン、ブタン、イソブタン、ペンタン、ヘキサンまたはヘプタンを用いるのが好ましい。しかしながら、製造されるニトリルの工業的利用の観点から、３または４個の炭素原子を有する低級アルカン、特にプロパンまたはイソブタンを用いるのが特に有益である。
【００３９】
同様に、１以上のＣ２〜Ｃ８アルカンと１以上の対応するＣ２〜Ｃ８アルケンの出発物質混合物として、Ｃ２〜Ｃ８アルカンと対応するＣ２〜Ｃ８アルケンの混合物、例えば制限なく、エタンとエテン、プロパンとプロペン、ブタンとブテン、イソブタンとイソブテン、ペンタンとペンテン、ヘキサンとヘキセン、およびヘプタンとヘプテンの混合物を用いるのが好ましい。しかしながら、製造されるニトリルの産業的用途の観点から、３または４個の炭素原子を有する低級アルカンと３または４個の炭素原子を有する対応する低級アルケンとの混合物、例えば制限なく、プロパンとプロペン、またはイソブタンとイソブテンの混合物を用いるのが特に有用である。好ましくは、アルカンとアルケンの混合物において、アルケンは少なくとも０．５重量％、さらに好ましくは少なくとも１．０重量％〜９５重量％、最も好ましくは３重量％〜９０重量％の量において存在する。
【００４０】
本発明の第一の具体例に関して、出発物質Ｃ２〜Ｃ８アルカンの純度は特に制限されず、メタンまたはエタンなどの低級アルカン、空気または二酸化炭素を不純物として含有するＣ２〜Ｃ８アルカンを特に問題なく使用できる。さらに、出発物質Ｃ２〜Ｃ８アルカンは様々なアルカンとの混合物であってもよい。同様に、１以上のＣ２〜Ｃ８アルカンと１以上の対応するＣ２〜Ｃ８アルケンの出発物質混合物の純度は特に制限されず、エテンなどの低級アルケン、メタンまたはエタンなどの低級アルカン、空気または二酸化炭素を不純物として含有する１以上のＣ２〜Ｃ８アルカンと１以上の対応するＣ２〜Ｃ８アルケンの混合物を特に問題なく使用できる。さらに、１以上のＣ２〜Ｃ８アルカンと１以上の対応するＣ２〜Ｃ８アルケンの出発物質混合物は様々なアルカンとアルケンの混合物であってもよい。
【００４１】
１以上のＣ２〜Ｃ８アルカンまたは１以上の対応するＣ２〜Ｃ８アルケンの供給源に関して制限はない。これらはそれ自体、または他のアルカンおよび／または他の不純物との混合物で購入することができる。別法として、これらは他の関連するかまたは関連しないプロセスについて得ることができる。さらに、１以上のＣ２〜Ｃ８アルカン（供給源に無関係に）および１以上のＣ２〜Ｃ８アルケン（供給源に無関係に）は所望により互いにブレンドすることができる。
【００４２】
本発明のこの態様のアンモ酸化反応の詳細なメカニズムは明らかには理解されていない。しかしながら、酸化反応は１以上の反応領域のそれぞれにおける１以上の触媒中に存在する酸素原子によるか、またはフィードガス中の分子酸素により行われる。分子酸素がフィードガス中に組み入れられる場合、酸素は純粋な酸素ガスであってもよい。しかしながら、高い純度は要求されないので、通常は空気などの酸素含有ガスを使用するのが経済的である。本明細書において用いられる「酸素含有ガス」なる用語は、例えば空気をはじめとする０．０１％から１００％までの酸素を含む任意の気体である。
【００４３】
例えば、１以上の反応領域のそれぞれに供給される出発物質の割合は次の通りであり得る：１以上のＣ２〜Ｃ８アルカン、または１以上のＣ２〜Ｃ８アルカンと１以上の対応するＣ２〜Ｃ８アルケンの混合物、３体積％〜５０体積％、例えば７体積％〜２５体積％；二酸化炭素、５体積％〜６０体積％、例えば１０体積％〜５０体積％；アンモニア３体積％〜５０体積％、例えば７体積％〜２５体積％；酸素、１体積％〜５０体積％、例えば５体積％〜２５体積％；および水（水蒸気）、１体積％〜５０体積％、例えば５体積％〜２５体積％（特定のフィード流れの合計体積基準）。１以上の反応領域のそれぞれに供給される出発物質の組成および割合は、本発明の利点を実現するためには互いに同じである必要はなく、実際は、当業者には容易に理解され、判断できるように、互いに異なっている必要がある場合もあることに注意。
【００４４】
フィードガスとして、１以上のＣ２〜Ｃ８アルカン、または１以上のＣ２〜Ｃ８アルカンと１以上の対応するＣ２〜Ｃ８アルケンの混合物、アンモニアおよび酸素含有ガスを含む気体混合物を使用することが可能である。しかしながら、１以上のＣ２〜Ｃ８アルカン、または１以上のＣ２〜Ｃ８アルカンと１以上の対応するＣ２〜Ｃ８アルケンの混合物、およびアンモニアを含む気体混合物、および酸素含有ガスを交互に供給することができる。
【００４５】
１以上のＣ２〜Ｃ８アルカン、または１以上のＣ２〜Ｃ８アルカンと１以上の対応するＣ２〜Ｃ８アルケンの混合物、二酸化炭素、およびアンモニア（実質的に酸素分子を含まない）をフィードガスとして使用して気相接触反応が行われる場合、触媒再生法を採用することが望ましい。かかる場合において、それぞれの反応領域の１以上の触媒の少なくとも一部を適当に時々各反応領域から抜き取り、次いで酸化再生装置に送り、再生し、その後再使用するために反応領域に戻す。例えば、触媒再生は、酸化ガス、例えば酸素、空気または一酸化窒素を触媒と再生装置中で、通常３００℃〜６００℃の温度で接触させることを含む。
【００４６】
本発明の第二の具体例を、プロパン（Ｃ２〜Ｃ８アルカンとして）、二酸化炭素、アンモニア、および空気（酸素含有ガスとして）を用いてアクリロニトリルが製造される特定の態様に関するさらなる詳細において説明する。反応系装置は、好ましくは固定床触媒リアクター系を含む。アンモ酸化反応のために供給される空気の割合は結果として得られるアクリロニトリルの選択性に関して重要である。すなわち、プロパン１モルあたり、最高２５モル、特に１〜１５モルの範囲内で空気が供給される場合にアクリロニトリルについての高い選択性が得られる。反応に供給されるアンモニアの割合は、プロパン１モル当たり、好ましくは０．２〜５モル、特に０．５〜３モルの範囲内である。この反応は通常大気圧下で行うことができるが、若干高い圧力または若干低い圧力下でも行うことができる。イソブタンなどの他のＣ２〜Ｃ８アルカン、またはプロパンとプロペンなどのＣ２〜Ｃ８アルカンと対応するＣ２〜Ｃ８アルケンの混合物に関して、フィードガスの組成は、プロパンの状態に従って選択することができる。
【００４７】
本発明の第二の具体例のこの態様のプロセスは、例えば２５０℃から４８０℃、例えば３００℃から４００℃の温度で行うことができる。気相反応における気体空間速度ＳＶは通常１００〜１００００時−１、好ましくは３００〜６０００時−１、さらに好ましくは３００〜２０００時−１の範囲である。希釈ガスとして、空間速度および酸素分圧を調節するために、例えば窒素、アルゴンまたはヘリウムなどの不活性ガスを用いることができる。プロパンのアンモ酸化を本発明の方法により行う場合、アクリロニトリルの他に、一酸化炭素、二酸化炭素、アセトニトリル、シアン化水素酸およびアクロレインが副生成物として形成され得る。
【実施例】
【００４８】
一段接触気相酸化によるプロパンのアクリル酸への変換は、出発物質中、０体積％から５０体積％まで、１０％の増加量で変化する量の二酸化炭素を用い、３６５℃から３９０℃の間で５℃の増加量で変化する温度で行った。出発物質中のプロパンの量を反応領域に供給される出発物質の合計体積基準で９．２体積％の一定に保ち、出発物質中の酸素の量を１９．１体積％の一定に保ち、残余は希釈ガスとしてのアルゴンを含んでいた。全てのプロセスを大気圧（すなわち、１気圧）で行った。
【００４９】
実施例のそれぞれは、通常および真空条件で、３領域管型リアクター形態を用いて実験用リアクター系中で行った。この反応系は、３つの基本成分：バルブマニホールド、リアクターおよび質量分析器を含んでいた。質量分析器は、低強度高速過渡応答実験に容易に順応できる高真空系中に含まれ、リアクターが真空または高圧条件（１０−８〜７０００ｔｏｒｒ）で作動することを可能にする特別に設計されたスライドバルブの結果として高体積連続流れを扱うことができる。
【００５０】
リアクターチューブ長さは３３ミリメートル（ｍｍ）であり、その直径は５ｍｍであった。３つの反応領域は、それぞれ長さが１２ｍｍで、７３０ｍｇの石英粒子が充填された２つの不活性領域と、該不活性領域間に位置する１つの触媒領域を含んでいた。触媒領域は長さが３．３ｍｍであり、１２０ｍｇの適当な触媒が充填されていた。
【００５１】
プロパン、酸素、ＣＯ２、およびアルゴンの出発物質ガス混合物を、１気圧で連続流バルブを通してリアクターに入れる前に、フリット付き加熱水バブラー（６５℃）に通した。追加の反応条件は、３．３秒の接触時間を含み、各触媒床温度で、加熱速度は０．５℃／分から２０℃／分まで変化した。
【００５２】
各プロセス例について、リアクターを排気して１０−６ｔｏｒｒにし、小反応物質または生成物ガスパルス（１０１３分子／パルス）を触媒上を通過させた。出口（すなわち生成物）組成測定は、少量の出口流れを、リアクター出口と真空チャンバー間に位置するニードルバルブを通して質量分析器チャンバー中に通すことにより行った。
【００５３】
実施例において使用した触媒は、米国特許第６６４２１７４号に開示されている合成法と類似の方法で調製した。さらに詳細には、名目組成Ｍｏ１．０Ｖ０．３Ｔｅ０．２３Ｎｂ０．１７Ｏｘの触媒を、次の方法で硝酸の存在下で調製した：対応する塩を水中に７０℃で溶解させることにより形成されたヘプタモリブデン酸アンモニウム四水和物（１．０Ｍ  Ｍｏ）、メタバナジウム酸アンモニウム（０．３Ｍ  Ｖ）およびテルル酸（０．２３Ｍ  Ｔｅ）を含む２００ｍＬの水溶液を２０００ｍＬｒｏｔａｖａｐフラスコに添加した。次いで、シュウ酸ニオブアンモニウム（０．１７Ｍ  Ｎｂ）、シュウ酸（０．１５５Ｍ）および硝酸（０．２４Ｍ）の水溶液２００ｍＬをここに添加した。５０℃の温水浴を用い、２８ｍｍＨｇで、ロータリーエバポレーターにより水を除去した後、固体物質をさらに真空オーブン中、２５℃で一夜乾燥して、焼成した。
【００５４】
焼成は、固体物質を空気雰囲気に置き、次いでこれを１０℃／分で２７５℃に加熱し、空気雰囲気下、２７５℃で１時間保持することにより行い、雰囲気を次いでアルゴンに変え、物質を２℃／分で２７５℃から６００℃に加熱し、物質をアルゴン雰囲気下、６００℃で２時間保持した。ＸＲＤ分析により、次の２θ角（±０．３°）での回折ピークが明らかになった：２２．１°、３６．２°、４５．２°および５０．０°。
【００５５】
実施例セットＡ
反応温度を約３６５℃で一定に保持し、二酸化炭素の量を１０体積％の増加量で０体積％から５０体積％まで変化させた。結果を以下の表１および図１のグラフに示す。
【００５６】
実施例セットＢ
反応温度を約３７０℃で一定に保持し、二酸化炭素の量を１０体積％の増加量で２０体積％から５０体積％まで変化させた。結果を以下の表１および図１のグラフに示す。
【００５７】
実施例セットＣ
反応温度を約３７５℃で一定に保持し、二酸化炭素の量を１０体積％の増加量で０体積％から５０体積％まで変化させた。結果を以下の表１および図１のグラフに示す。
【００５８】
実施例セットＤ
反応温度を約３８０℃で一定に保持し、二酸化炭素の量を１０体積％の増加量で０体積％から５０体積％まで変化させた。結果を以下の表１および図１のグラフに示す。
【００５９】
実施例セットＥ
反応温度を約３８５℃で一定に保持し、二酸化炭素の量を１０体積％の増加量で０体積％から５０体積％まで変化させた。結果を以下の表１および図１のグラフに示す。
【００６０】
実施例セットＦ
反応温度を約３９０℃で一定に保持し、二酸化炭素の量を１０体積％の増加量で０体積％から５０体積％まで変化させた。結果を以下の表１および図１のグラフに示す。
【００６１】
【表１】
2005298508.tif 000003
【００６２】
図１のグラフに関して、二酸化炭素含量は各実施例セット（セットＢを除く）についての最初のデータポイントについて０であるので、この点は試験された６つの操作温度のそれぞれでの比較例であることに注意。残りのデータポイントは、本発明の様々な適用を表し、所定の温度では、酸化プロセスへの二酸化炭素フィードの量を増大させることによりアクリル酸の収率を増大させることができることが示される。
【図面の簡単な説明】
【００６３】
【図１】様々な温度で、本発明の方法により得られる結果を表すグラフである。
【図１】
2005298508.tif 000004
【外国語明細書】
2005298508000001.pdf
2005298508000002.pdf
2005298508000003.pdf
2005298508000004.pdf